(57)【要約】      （修正有）【課題】カード利用者に好ましい周知商品の形態でリベートを返却する報奨システムを提供する。【解決手段】銀行または他の金融機関によりカードがカード所有者に発行される現金代替カード用報奨システムおよび方法。そのようなカードは、クレジットまたはデビットカードであり、カード所有者に、カード使用量に基づいて、一般人には入手できないダイヤモンドなどの経時的に価値が上昇するという周知の歴史を有する商品形態で報奨を与える。【選択図】なし【特許請求の範囲】
【請求項１】
現金代替カードを保有するカード所有者に一定期間にわたるカードの使用量に基づいて報奨を与える方法であって、
カード所有者に、カード使用量に基づいて、一般人には入手できない商品で利益を与えるステップとを含み、前記商品は経時的にその価値が上昇するという周知の歴史を有する方法。
【請求項２】
カード所有者に商品で利益を与えるステップが、カード所有者に、ダイヤモンドに関するラパポート・ダイヤモンド・レポート（ラパポート）基準表に基づくダイヤモンドのカラット当たりの平均価格を少なくとも約１０％上回る価値を有するダイヤモンドで利益を与えるステップを含む、請求項１に記載の方法。
【請求項３】
カード所有者に商品で利益を与えるステップが、カード所有者にダイヤモンドで利益を与えるステップを含む、請求項１に記載の方法。
【請求項４】
カード所有者にダイヤモンドで利益を与えるステップが、カード所有者に、ダイヤモンドに関するインターナショナルカラースケールに基づいておよそＤ〜Ｈのカラーを有するダイヤモンドで利益を与えるステップを含む、請求項２に記載の方法。
【請求項５】
カード所有者にＤ〜Ｆのカラーを有するダイヤモンドで利益を与えるステップを含む、請求項４に記載の方法。
【請求項６】
前記カード所有者にダイヤモンドで利益を与えるステップが、カード所有者にダイヤモンドに関するインターナショナルクラリティースケールに基づいておよそ１Ｆ〜ＶＳ２のクラリティーを有するダイヤモンドで利益を与えるステップを含む、請求項２に記載の方法。
【請求項７】
前記カード所有者に一定のクラリティーを有するダイヤモンドで利益を与えるステップが、カード所有者におよそ１Ｆ〜ＶＶＳのクラリティーを有するダイヤモンドで利益を与えるステップを含む、請求項６に記載の方法。
【請求項８】
前記カード所有者にダイヤモンドで利益を与えるステップが、前記カード所有者にラウンドブリリアントカットを有するダイヤモンドで利益を与えるステップを含む、請求項２に記載の方法。
【請求項９】
前記カード所有者にブリリアントカットダイヤモンドで利益を与えるステップが、前記カード所有者に５７〜５８面を有するブリリアントカットダイヤモンドで利益を与えるステップを含む、請求項８に記載の方法。
【請求項１０】
前記カード関連カード所有者宛に、１／１００カラット当たり重量およびカラット当たりの価値で蓄積されたダイヤモンドの数を明記した定期明細書を発行するステップを含む、請求項２に記載の方法。
【請求項１１】
ダイヤモンドが所定の重量に達したとき、カード所有者に、蓄積されたダイヤモンドを請求するか口座に投下資本として保持するかの選択肢を与えるステップを含む、請求項１１に記載の方法。
【請求項１２】
前記選択肢を与えるステップが、１／２カラット重量に達したとき、前記選択肢を与えるステップである、請求項１１に記載の方法。
【請求項１３】
現金代替カードを保有するカード所有者に一定期間にわたる使用量に基づいて報奨を与えるシステムであって、
カード所有者に現金代替カードを発行するカード発行手段と、
カード所有者に、カード使用量に基づいて一般人には入手できない前記カードに関連する商品で利益を与える前記カード関連報奨プログラム手段と
を備えるシステム。
【請求項１４】
前記報奨プログラム手段が、カード所有者に、ダイヤモンドに関するラパポート・ダイヤモンド・レポート（ラパポート）基準表に基づくダイヤモンドカラット当たりの平均価格を少なくとも約１０％上回る価値を有するダイヤモンドで利益を与えるダイヤモンド利益手段を含む、請求項１３に記載のシステム。
【請求項１５】
前記報奨プログラム手段が、カード所有者にダイヤモンドで利益を与えるダイヤモンド利益手段を含む、請求項１４に記載のシステム。
【請求項１６】
前記ダイヤモンド利益手段が、ダイヤモンドに関するインターナショナルカラースケールに基づいておよそＤ〜Ｈのカラーを有するダイヤモンドで利益を与える手段を含む、請求項１４に記載のシステム。
【請求項１７】
前記ダイヤモンド利益手段がＤ〜Ｆカラーを有するダイヤモンドで利益を与える手段を含む、請求項１６に記載のシステム。
【請求項１８】
前記ダイヤモンド利益手段が、ダイヤモンドに関するインターナショナルクラリティースケールに基づいておよそ１Ｆ〜ＶＳ２のクラリティーを有するダイヤモンドで利益を与える手段を含む、請求項１４に記載のシステム。
【請求項１９】
前記ダイヤモンド利益手段がおよそ１Ｆ〜ＶＶＳのクラリティーを有するダイヤモンドで利益を与える手段を含む、請求項１８に記載のシステム。
【請求項２０】
前記ダイヤモンド利益手段がラウンドブリリアントカットを有するダイヤモンドで利益を与える手段を含む、請求項１４に記載のシステム。
【請求項２１】
前記ダイヤモンド利益手段が５７〜５８面を有するブリリアントカットダイヤモンドで利益を与える手段を含む、請求項２０に記載のシステム。
【請求項２２】
前記カード関連カード所有者宛に、所定期間中に１／１００カラット当たり重量およびカラット当たり価値で蓄積されたダイヤモンドの数を明記した明細書を発行する定期明細書発行手段を含む、請求項１４に記載のシステム。
【請求項２３】
前記明細書発行手段が、ダイヤモンドが所定重量に達したとき、カード所有者に、蓄積されたダイヤモンドを請求するか口座に投下資本として保持するかの選択肢を与える、請求項２２に記載のシステム。
【請求項２４】
明細書発行手段が、１／２カラット重量に達したときに、カード所有者に、ダイヤモンドを請求するか口座に保持するかの選択肢を与える、請求項２３に記載のシステム。
【請求項２５】
貯蓄または投資口座に預託金を有する貯蓄者または投資者に前記口座の金額に基づいて報奨を与える方法であって、
貯蓄者または投資者に前記口座の金額に基づいて一般人には入手できない経時的に価値
が上昇するという周知歴史を有する商品で利益を与えるステップを備える方法。
【請求項２６】
貯蓄者または投資者に商品で利益を与えるステップが、貯蓄者または投資者にダイヤモンドで利益を与えるステップを含む、請求項２５に記載の方法。
【請求項２７】
貯蓄または投資口座に預託金を有する貯蓄者または投資者に前記口座の金額に基づいて報奨を与えるシステムあって、
カード所有者に前記口座の金額に基づいて一般人には入手できない経時的に価値が上昇するという周知歴史を有する前記口座関連商品で利益を与える前記口座カード関連報奨プログラム手段を備えるシステム。
【請求項２８】
報奨プログラム手段が、貯蓄者または投資者にダイヤモンドで利益を与えるダイヤモンド利益手段を含む、請求項２７に記載のシステム。
【発明の詳細な説明】
【技術分野】
【０００１】
本願は、２００５年６月２４日出願の米国仮出願第６０／６９４，１４９号の利益および優先権を主張するものであり、この仮出願はその全容を本明細書に援用される。
本発明は、デビットカードおよびクレジットカード、より特定的には、デビットカードやクレジットカードなどの現金代替カード（ｃａｓｈ  ｒｅｐｌａｃｅｍｅｎｔ  ｃａｒｄｓ）用報奨プログラムに関する。
【背景技術】
【０００２】
現金の代わりに買物に利用されるクレジットカードは大いに普及している。当初、クレジットカードは、買物の請求書がカード利用者に届くまで支払いを遅らせることを可能にした。その場合、カード利用者は、利息を負うことなく一定期間内に支払い残高を支払うか、分割払いで全額支払いを遅らせて未払残高に対する利息を支払うかを選ばなければならなかった。
【０００３】
そのようなクレジットカード導入からしばらく経って、いくつかのクレジットカード会社は、購入者に、買物をするたびに報奨を与える案を考え出した。例えば、いくつかのクレジットカードに関するマイレージサービス（ｆｒｅｑｕｅｎｔ  ｆｌｙｅｒ  ｐｒｏｇｒａｍｓ）は、購入者に報奨として空の旅と引き換えできるエアラインマイレージを与える。
【０００４】
最近になって、いくつかのクレジットカード発行会社は、購入者による代金支払後の所定時期に、一定額のドル、例えば、買物の１〜２％のリベートを購入者に与える割引を始めた。
【０００５】
上記は一般にキャッシュバッククレジットカードプログラムと称されている。カードを利用すればするほど多くの報奨が受けられる。いくつかのプログラムは、使用した額に関して、特定の種類の買物には、定率、例えば５％を支払い、他のすべての買物には、それより低い率、例えば１％を支払う。
【０００６】
他のプログラムは、商品券またはクーポン券、ガソリン購入に対する払い戻しなどを提供し得る。このように、キャッシュバックプログラムは、通常、３種の基本要素、すなわち、購入に対する割合での利益の獲得と、ときにはより高率の見返りを与える特定カテゴリーでの支払いと、購入者に報奨を与える方法とを含む。
【０００７】
そのようなカードは、年会費が必要なものも必要でないものもあり、世界中で利用されている。
また、買物時に現金として使用されるデビットカードと称されるカードもある。すなわち、商品をそのようなデビットカードで支払い、その金額は自動的にその人の口座から引き落とされる。
【０００８】
したがって、そのようなカードは、割戻しを行う時点で価値が決まる特定の金銭的な価値を返還する。伝統的に価値が上昇し、購入者にとって極めて好ましい周知商品の形態で購入者にリベートを提供するデビットカードまたはクレジットカードなどの現金代替カードが必要とされている。
【発明の開示】
【発明が解決しようとする課題】
【０００９】
本発明の目的は、そのようなカードの利用者に、伝統的に価値が上昇し、購入者にとって極めて好ましい周知商品の形態でリベートを返す現金代替カード用システムおよび方法を提供することにある。
【００１０】
本発明のさらなる目的は、商品がダイヤモンドである場合に上記目的を達成することである。
【課題を解決するための手段】
【００１１】
カードが銀行または他の金融機関によりカード所有者に発行される現金代替カード用報奨システムおよび方法を開示する。そのようなカードは、クレジットカードまたはデビットカードであり、カード所有者に、使用量に基づいて、一般人には入手できないダイヤモンドなどの経時的に価値が上昇するという周知歴史を有する商品形態で報奨を与える。
【発明を実施するための最良の形態】
【００１２】
本発明で特に企図されているように、カード所有者への従来型のキャッシュバックの代わりに、本物のダイヤモンドを購入し、購入者に、投資、資本供給するデビットカードまたはクレジットカードを提供するための新規かつユニークな方法およびシステムを開示する。そのようなダイヤモンドは、どのようなグレードであってもよいが、好ましくは、アメリカ宝石学会〔Ｇｅｍｏｌｏｇｉｃａｌ  Ｉｎｓｔｉｔｕｔｅ  ｏｆ  Ａｍｅｒｉｃａ（ＧＩＡ）〕またはダイヤモンド・ハイ・カウンセル〔ＨＯＧＥ  ＲＡＡＤ  ＶＯＯＲ  ＤＩＡＭＡＮＴ（ＨＲＤ）〕認定の１／２〜１カラット重量のラウンドダイヤモンドである。上記ダイヤモンドは、市場では最高品質のものであり、通常、世界中で最も素晴らしい宝石創造品と定められている。そのようなダイヤモンドは、過去５０年間価値が下がったことはなく、常に価値が上昇している。
【００１３】
したがって、カード所有者は、現金代替カードの使用に対して報奨を受けるだけでなく、そのようなダイヤモンドの通常小売価格より大幅に割り引かれた専門家価格で質の高いダイヤモンドを入手できるであろう。
【００１４】
また、発行銀行にも明らかな利益がある。すなわち、現金代替カードを発行する銀行は、カード所有者にダイヤモンドでの投資を提供するだけでなく、カード所有者に、一流の独占的かつ豪奢なプログラムを提供することになる。そのようなプログラムは、発行銀行に利益をもたらし、競合銀行に対して優位となるであろう。
【００１５】
実際のカード自体は、カードに、その独自性および排他性を付加するダイヤモンドのデザインを有し得る。
任意の適当なダイヤモンドが用いられ得るが、５段階に分けられた、カラーがＤ〜Ｆで、クラリティーがＩＦ〜ＶＶＳのラウンドカットダイヤモンドが好ましい。これらのダイヤモンドは、０．０１〜２．０カラットサイズまでの６つの異なる基準表で定義される。そのようなダイヤモンドは、カットされた研磨済みダイヤモンドであることが好ましい。
【００１６】
カードにはダイヤモンド投資／貯蓄口座が付帯しているので、カード所有者は、このカードを受け取った日に自動的に利益を得る。この口座は、信用組織（ｃｒｅｄｉｔ  ｏｒｇａｎｉｚａｔｉｏｎ）または銀行によって直接または間接に管理される。この口座は、「ダイヤモンドカード」で支払われた各買物のパーセンテージに関して発行銀行または信用組織が規定したパーセンテージに基づいてカード所有者に対して入金されるであろう。この原則に従って、カード所有者は買物をするたびにダイヤモンド口座に貯蓄することによってダイヤモンドを貯める。この口座は、ラウンドカットダイヤモンドの形で入金されるであろう。毎月、貯蓄をダイヤモンド／価値で示す１／１００カラット単位の累積ダイヤモンドレポートを含むカード所有者明細書が送られるであろう。
【００１７】
ダイヤモンドの金融資産価値の計算基準は、１カラットのダイヤモンドによって決定される。この１カラットダイヤモンドは、１／１００または０．０１カラットをベースとするカットダイヤモンド石、すなわち、カラット当たり１００個のカット石からなる。これは、ダイヤモンドの金融資産価値が１カラットまたは１／１００カラットに基づくことを意味する。
【００１８】
ダイヤモンド口座のカラットまたは１／１００カラットの金融資産価値の計算基準は、専門家基準であるラパポート（Ｒａｐａｐｏｒｔ）を用いて計算する。ラパポート・ダイヤモンド・レポート（Ｒａｐａｐｏｒｔ  Ｄｉａｍｏｎｄ  Ｒｅｐｏｒｔ）は、変化する相場に対応するために世界中のディーラーが使用する毎月の卸売ダイヤモンド価格リストである。（ラパポートは、独占的に専門家向けであり、価格基準に過ぎず、認可されたディーラーのみが、「ダイヤモンド取引所」（Ｄｉａｍｏｎｄ  Ｂｏｕｒｓｅ）を通してダイヤモンドを購入することができる。ダイヤモンド取引所は、ダイヤモンド原石および研磨済みダイヤモンドのディーラーやトレーダーの協会、または研磨業者（製造業者）、ブローカー（エージェント）でもあり得る、ダイヤモンド取引所が提供する建築物、すなわち建物のメンバーである。どの取引所も、すべてのメンバーが順守しなければならない厳しい施行規則を有する。個々の取引所は、通常、ダイヤモンド取引所世界連盟（Ｗｏｒｌｄ  Ｆｅｄｅｒａｔｉｏｎ  ｏｆ  Ｄｉａｍｏｎｄ  Ｂｏｕｒｓｅｓ）のメンバーである。ダイヤモンド取引所が株式市場または金地金とは異なることを理解することは重要である。ダイヤモンドの売買取引は公開ではなく、さまざまな価格で私的に行われる。ラパポートは、交渉のための基礎となる基準に過ぎない。ラパポートは相場ではない。
【００１９】
ダイヤモンドカード／ダイヤモンド口座の目的は、一般人向けにダイヤモンドの相場／価値を決定することである。（現在、一般人は小売市場においてダイヤモンドを購入するための価格比較ができない）。この最も重要ではあるが、それだけとは限らない理由のために、ダイヤモンド投資用ポートフォリオまたは株式市場が存在しない。ダイヤモンドとは対照的に、金地金は、約３１．１０３５グラム（１トロイオンス）または純度９．９９９のバーに基づく相場を有する。当然のことながら、金地金は、ダイヤモンドと同様に、９．９９９基準未満の様々な純度および品質グレードを有する。
【００２０】
今日、ダイヤモンドは、各石のカラー、クラリティー、カットおよび重量／カラットで規定される品質に基づく大幅な価格差で一般人に販売されている。各ダイヤモンドは、このために異なる価格を有し、各小売業者は独自の値付けをしている。本発明の目的は、金融界およびポートフォリオ管理／ダイヤモンド口座に容易に適用できる、一般人向けダイヤモンド値付け用計算原理を規定することにある。
【００２１】
ラパポートは、この種のカット石を０．０１〜０．２９カラットサイズまでの５つの異なる基準表ではっきり規定している。これらの異なる表には、各サイズについて異なるカラーおよびクラリティーに関する相場（ｑｕｏｔａｔｉｏｎ）が含まれている。評価基準として、各表からの最高品質のみ、すなわち、カラーＤ〜Ｆ、クラリティーＩＦ〜ＶＶＳが用いられる。この品質の石に関して、ラパポート・ダイヤモンド・レポートは、３ヶ月毎に、各表に関する専門家用基準価格を発表する。このレポートは、例えば、０．５〜１．０カラットダイヤモンドに関する例えば５または６つのカラーおよびクラリティー表間の平均価格を計算するのに用いられ得る。
【００２２】
１カラットダイヤモンドは、０．０１〜０．２９カラットまでの５つの表のＤ〜ＦカラーおよびＩＦ〜ＶＶＳクラリティーのラパポート・ダイヤモンド・レポート価格を加算したものを5で割った価格に等しい。この方法を用いて、Ｄ〜ＦカラーおよびＩＦ〜ＶＶＳ
クラリティーの１カラットおよび／または１／１００カラット石に関して計算された一般
人向け平均価格が決められている。
【００２３】
例：  ２００５年６月のラパポート・ダイヤモンド・レポートによると、Ｄ〜Ｆカラー、ＩＦ〜ＶＶＳクラリティーを有する０．０１〜０．２９カラットサイズダイヤモンドの６つの表の合計価格は、８，２４０．００ドルであり、これを６で割って、カラット当たり１，３７３．３３ドル、または１／１００カラット当たり１３．７３ドルの平均価格を得る。
【００２４】
本明細書に開示されているポートフォリオ／ダイヤモンド口座は、０．０１〜２．０カラットサイズの石のみから構成されることが好ましい。
本明細書で開示するダイヤモンドカードを用いて商品およびサービスを購入するたびに、カード所有者は、購入価格のパーセンテージに相当するカットダイヤモンドを蓄積／投資／貯蓄するであろう。蓄積／投資／貯蓄されたダイヤモンドは１／１００カラットに基づく。支払い請求毎に、カード所有者は、蓄積されたダイヤモンド数、１／１００カラット当たり重量およびカラット当たり価値を明記した自分のポートフォリオ／ダイヤモンド口座明細書を受け取るであろう。カード所有者がダイヤモンドカードにより発行された自分の明細書に基づいて１カラットに到達したら、カード所有者は、自分のダイヤモンドを請求するか、それらを投資／貯蓄としてポートフォリオ／ダイヤモンド口座に保持するかを選択できる。この場合、カード所有者は、ダイヤモンドを蓄積することにより貯蓄／投資を継続することができる（ダイヤモンドは、他の投下資本とは対照的に、過去５０年間常に価格が上昇している）。カードを発行する発行銀行または金融センターは、ダイヤモンドの期間制限または蓄積を決定し得る。
【００２５】
ダイヤモンドの最も重要な特徴は、カット、クラリティー、カラーおよびカラット重量である。そのような基準は、業界がダイヤモンドの品質、価値および美しさを評価するのに用いられる。ダイヤモンドは、ブリリアント、オーバル、ラジアント、マルキーズ、ハート、エメラルド、ペア、プリンセスおよびトライアングルなどのさまざまなカット形状で販売されている。本明細書で開示するシステムおよび方法に用いる形状は、５７〜５８面を有するラウンドブリリアントカットであるのことが好ましい。
【００２６】
カラットの測定単位は、１グラムの５分の１、すなわち２デシグラムに相当するメトリック・カラットである。したがって、１カラット＝０．２グラムである。カラットは１００ポイント（メトリック・カラットの１００分の１）に分割される。言いかえれば、０．２５カラットのダイヤモンドは２５ポイントを有する。
【００２７】
これまで説明したように、ＩＦ〜ＶＶＳのクラリティーが好ましい。以下の表は、インターナショナルクラリティースケールを示す。
【００２８】
【表１】
2007004803.tif 000002
上述のように、Ｄ〜Ｆカラーを有するダイヤモンドが好ましい。
【００２９】
以下の表は、インターナショナルカラースケールを示す。
【００３０】
【表２】
2007004803.tif 000003
唯一かつ有力なダイヤモンドのイメージを世界に示すダイヤモンド購入関連現金代替カードが提供されることが分る。ダイヤモンドは、忠誠、力、および永続性を表現する。カード所有者は、報奨を得るだけでなく、価値が上昇し続けるであろう有価商品で報奨を得る。「ダイヤモンド」とは、キュービックジルコニウムまたは人工ダイヤモンドではなく、ダイヤモンド業界では周知のような本物のダイヤモンドを指す。
【実施例】
【００３１】
本明細書で開示するカードを使用するカード所有者の年間購入額は１００，０００ドルである。したがって、発行銀行は、２％キャッシュバック、すなわち２，０００ドルを付与し得る。
【００３２】
ラパポート・ダイヤモンド・レポート＋１０％（当該月のレポート）に基づくと、発行銀行が５つのカラーおよび５つのクラリティーから選択したダイヤモンドの総額は、２，６８０ドルである。したがって、カード所有者は、２，０００／２，６８０ドルまたは約０．７５カラットのダイヤモンドを貯める。カード所有者は、０．５０〜１カラットの本物のダイヤモンドを入手することになるが、ダイヤモンドを請求するか、投下資本または貯蓄として口座に保持するかを選べる。カード所有者が０．７０カラットの石を入手すると、０．０５カラットはキャッシュバック口座に蓄積される。
【００３３】
ダイヤモンドの価値は安定しており、長期にわたって常に上昇しているので、銀行または投資サービス企業およびカード所有者にとってのリスクはまったくないであろう。銀行またはサービス企業は、ダイヤモンドの小売価格に基づいてそのキャッシュバックプログラムを決定するが、これは、（銀行またはサービス企業の）買入価格と小売価格（宝石価格）との価格差が非常に大きいことを意味する。言い換えると、銀行またはサービス企業は、ダイヤモンドをラパポート＋１０％の価値で購入するが、その小売価格は最低２倍ないし４倍も高い。また、銀行またはサービス企業は、カード所有者に対するキャッシュバック値および小売価格＋値引きと同等である選択したダイヤモンドの価値を決定する。
【００３４】
例えば、
ラパポート＝２，０００ドル
買値＝ラパポートの−１０％＝１，８００ドル
売値＝ラパポートの＋１０％＝２，２００ドル（銀行または投資サービス企業の買入価格）
小売価格＝８，０００ドル
カード所有者へのキャッシュバック値を含む決定値＝７，０００ドル
２，２００から７，０００の間で、第１に、銀行または投資サービス企業は、カード所有者に変動リスクに対する保証を与えるのに十分な価格差を有し、第２に、キャッシュバックプログラムが利益を生む。
【００３５】
カード所有者は、事実上、８，０００ドルの価値を有するダイヤモンドを入手し、銀行は、カード所有者に７，０００ドルのダイヤモンドを提供する。
本明細書のシステムおよび方法を規格化するために、０．５〜１カラットのダイヤモンドの使用を提案しているが、これはさまざまであってよい。
【００３６】
さらに、銀行または投資サービス企業は、カード所有者に対してデビットまたはクレジットカードを発行するものとして開示されているが、本明細書で開示する方法およびシステムは、銀行または他の金融機関が貯蓄者や投資者にダイヤモンドで報償を支払う、または、本明細書に開示されているように、貯蓄者もしくは投資者の口座の現金額に応じてダイヤモンドで利息を支払う貯蓄または現金投資口座と併用して用いることもできる。
【００３７】
本発明の特定の実施形態が開示されているが、当業者はその変更形態に想到し得、本発明の範囲は添付特許請求の範囲によってのみ限定されるものとする。
【外国語明細書】
2007004803.tif 000004
2007004803.tif 000005
2007004803.tif 000006
2007004803.tif 000007
2007004803.tif 000008
2007004803.tif 000009
2007004803.tif 000010
2007004803.tif 000011
2007004803.tif 000012
2007004803.tif 000013
2007004803.tif 000014
2007004803.tif 000015
2007004803.tif 000016
2007004803.tif 000017
2007004803.tif 000018